(57)【要約】【課題】３つの表示を切り替えることが可能な表示装置を提供する。【解決手段】第１の偏光を出力する第１光源部と、第１の偏光と直交する第２の偏光を出力する第２光源部と、３つのマークが施され、入射する偏光に対応するマークを表示する表示部とを備え、第１光源部は、第１の色の光を発する第１光源と、波長が重なっていない第２の色の光を発する第２光源と、第１の偏光のみを透過させる第１偏光部材とを有し、第２光源部は、第１の色の光を発する第３光源と、第２の色の光を発する第４光源と、第２の偏光のみを透過させる第２偏光部材とを有し、表示部は、一部のマークが施され、マークが施されていない部分で第１の偏光のみを透過させる第３偏光部材と、残りのマークが施され、マークが施されていない部分で第２の偏光のみを透過させる第４偏光部材と、入射する光に応じたマークに対応する光を出力するカラーフィルタとを有する、表示装置が提供される。【選択図】図１
2020064198.tif 000002
【特許請求の範囲】
【請求項１】
第１の偏光軸を有する第１の偏光を出力する第１光源部と、
前記第１の偏光と直交する偏光軸を有する第２の偏光を出力する第２光源部と、
３つのマークが施され、前記第１光源部から出力される前記第１の偏光と、前記第２光源部から出力される前記第２の偏光との一方または双方が入射し、入射する偏光に対応するマークを表示する表示部と、
を備え、
前記第１光源部は、
第１の色の光を発する第１光源と、
前記第１の色と波長が重なっていない第２の色の光を発する第２光源と、
前記第１光源および前記第２光源それぞれが発する光のうち、前記第１の偏光を透過させ、前記第２の偏光を透過させない第１偏光部材と、
を有し、
前記第２光源部は、
前記第１の色の光を発する第３光源と、
前記第２の色の光を発する第４光源と、
前記第３光源および前記第４光源それぞれが発する光のうち、前記第２の偏光を透過させ、前記第１の偏光を透過させない第２偏光部材と、
を有し、
前記表示部は、
３つのマークのうちの一部のマークが施され、前記マークが施されていない部分において、前記第１の偏光を透過させ、前記第２の偏光を透過させない第３偏光部材と、
３つのマークのうちの残りのマークが施され、前記第２の偏光を透過させ、前記第１の偏光を透過させない第４偏光部材と、
入射する光に応じたマークに対応する光を出力するカラーフィルタと、
を有する、表示装置。
【請求項２】
前記第１の色の光は、青色と赤色とのうちの一方の色の光であり、
前記第２の色の光は、青色と赤色とのうちの他方の色の光である、請求項１に記載の表示装置。
【請求項３】
３つのマークのうちの第１のマークを表示する場合、前記第１光源が点灯し、
３つのマークのうちの第２のマークを表示する場合、前記第２光源および前記第４光源が点灯し、
３つのマークのうちの第３のマークを表示する場合、前記第３光源が点灯する、請求項１または２に記載の表示装置。
【請求項４】
前記表示部から出力される光を減衰させる光減衰部材をさらに備える、請求項１〜３のいずれか１項に記載の表示装置。
【発明の詳細な説明】
【技術分野】
【０００１】
本発明は、表示装置に関する。
【背景技術】
【０００２】
偏光板を利用して表示を切り替える装置に関する技術が、開発されている。上記技術としては、例えば下記の特許文献１に記載の技術が挙げられる。
【先行技術文献】
【特許文献】
【０００３】
【特許文献１】実公昭６１−２５００２号公報
【発明の概要】
【発明が解決しようとする課題】
【０００４】
所定の偏光軸を有する偏光を透過させ、透過する偏光とは異なる偏光軸を有する偏光を透過させない機能を有する偏光部材がある。
【０００５】
また、例えば特許文献１に記載の表示切換灯のように、マークが施された２つの偏光部材を重ね合わせた構成を有する表示装置を用いることによって、２つの表示の切り替えを実現することが可能である。
【０００６】
しかしながら、例えば特許文献１に記載の技術のような、偏光部材を利用する既存の技術を用いたとしても、３つの表示の切り替えを実現することはできない。
【０００７】
本発明の目的とするところは、偏光部材を利用して３つの表示を切り替えることが可能な、新規かつ改良された表示装置を提供することにある。
【課題を解決するための手段】
【０００８】
上記目的を達成するために、本発明の一の観点によれば、第１の偏光軸を有する第１の偏光を出力する第１光源部と、上記第１の偏光と直交する偏光軸を有する第２の偏光を出力する第２光源部と、３つのマークが施され、上記第１光源部から出力される上記第１の偏光と、上記第２光源部から出力される上記第２の偏光との一方または双方が入射し、入射する偏光に対応するマークを表示する表示部と、を備え、上記第１光源部は、第１の色の光を発する第１光源と、上記第１の色と波長が重なっていない第２の色の光を発する第２光源と、上記第１光源および上記第２光源それぞれが発する光のうち、上記第１の偏光を透過させ、上記第２の偏光を透過させない第１偏光部材と、を有し、上記第２光源部は、上記第１の色の光を発する第３光源と、上記第２の色の光を発する第４光源と、上記第３光源および上記第４光源それぞれが発する光のうち、上記第２の偏光を透過させ、上記第１の偏光を透過させない第２偏光部材と、を有し、上記表示部は、
３つのマークのうちの一部のマークが施され、上記マークが施されていない部分において、上記第１の偏光を透過させ、上記第２の偏光を透過させない第３偏光部材と、３つのマークのうちの残りのマークが施され、上記第２の偏光を透過させ、上記第１の偏光を透過させない第４偏光部材と、入射する光に応じたマークに対応する光を出力するカラーフィルタと、を有する、表示装置が、提供される。
【０００９】
かかる構成では、偏光部材を利用する偏光方式による表示切替と光の波長差を利用する表示切替とによって、３つの表示の切り替えが実現される。したがって、かかる構成によって、偏光部材を利用して３つの表示を切り替えることができる。
【００１０】
また、上記第１の色の光は、青色と赤色とのうちの一方の色の光であり、上記第２の色の光は、青色と赤色とのうちの他方の色の光であってもよい。
【００１１】
また、３つのマークのうちの第１のマークを表示する場合、上記第１光源が点灯し、３つのマークのうちの第２のマークを表示する場合、上記第２光源および上記第４光源が点灯し、３つのマークのうちの第３のマークを表示する場合、上記第３光源が点灯してもよい。
【００１２】
また、上記表示部から出力される光を減衰させる光減衰部材をさらに備えていてもよい。
【発明の効果】
【００１３】
本発明によれば、偏光部材を利用して３つの表示を切り替えることができる。
【図面の簡単な説明】
【００１４】
【図１】本発明の実施形態に係る表示装置の一例を示す説明図である。
【図２】本発明の実施形態に係る表示装置が備える第１光源部および第２光源部の構成の一例を示す説明図である。
【図３】本発明の実施形態に係る表示装置が備える表示部の構成の一例を示す説明図である。
【図４】本発明の実施形態に係る表示装置が備える表示部を構成する、第３偏光部材、第４偏光部材、およびカラーフィルタの一例を示す説明図である。
【図５】本発明の実施形態に係る表示装置における表示の切り替えの一例を説明するための説明図である。
【発明を実施するための形態】
【００１５】
以下、添付図面を参照しながら、本発明の好適な実施の形態について詳細に説明する。なお、本明細書および図面において、実質的に同一の機能構成を有する構成要素については、同一の符号を付することにより重複説明を省略する。
【００１６】
［１］本発明の実施形態に係る表示装置の一例
まず、本発明の実施形態に係る表示装置の一例を説明する。
【００１７】
図１は、本発明の実施形態に係る表示装置１００の一例を示す説明図である。表示装置１００は、例えば、表示装置１００が備えているバッテリなどの内部電源（図示せず）から供給される電力、または、商用電源などの表示装置１００の外部電源から供給される電力などによって、駆動する。
【００１８】
表示装置１００は、例えば、“第１光源ＬＳ１、第２光源ＬＳ２、および第１偏光部材１０２を有する第１光源部”と、“第３光源ＬＳ３、第４光源ＬＳ４、および第２偏光部材１０４を有する第２光源部”と、表示部１０６と、遮光部材１０８と、光減衰部材１１０とを備える。図１に示す例では、図１に示す上方向、すなわち、光減衰部材１１０側が、表示面側に該当する。
【００１９】
また、表示装置１００には、例えば、プロセッサ（図示せず）、ＲＯＭ（Read  Only  Memory。図示せず）、ＲＡＭ（Random  Access  Memory。図示せず）が設けられていてもよい。
【００２０】
プロセッサ（図示せず）は、例えば第１光源ＬＳ１、第２光源ＬＳ２、第３光源ＬＳ３、および第４光源ＬＳ４それぞれの点灯を制御する。後述するように、第１光源ＬＳ１、第２光源ＬＳ２、第３光源ＬＳ３、および第４光源ＬＳ４それぞれの点灯が制御されることによって、表示部１０６から出力される光が変化し、その結果、表示装置１００における表示が変化する。プロセッサとしては、例えば、ＣＰＵ（Central  Processing  Unit）や、ＭＣＵ（Micro  Controller  Unit）などが、挙げられる。なお、第１光源ＬＳ１、第２光源ＬＳ２、第３光源ＬＳ３、および第４光源ＬＳ４の一部または全部の点灯は、表示装置１００の外部装置（例えば、外部のプロセッサや、点灯消灯する光源を切り替える操作が可能なリモートコントローラなど）により制御されてもよい。
【００２１】
ＲＯＭ（図示せず）は、プロセッサ（図示せず）が使用するプログラムや演算パラメータなどの制御用データなどを記憶する。ＲＡＭ（図示せず）は、例えば、プロセッサにより実行されるプログラムなどを一時的に記憶する。なお、ＲＯＭとＲＡＭとの一方または双方は、プロセッサの一部であってもよい。
【００２２】
［１−１］第１光源部
第１光源部は、第１光源ＬＳ１、第２光源ＬＳ２、および第１偏光部材１０２を有し、第１の偏光軸を有する第１の偏光を出力する。
【００２３】
第１光源ＬＳ１は、第１の色の光を発する光源である。第２光源ＬＳ２は、第１の色と波長が重なっていない第２の色の光を発する光源である。第１の色の光と第２の色の光との一例としては、例えば下記に示す例が挙げられる。
・第１の色の光が、青色の光であり、第２の色の光が、赤色の光である。
・第１の色の光が、赤色の光であり、第２の色の光が、青色の光である。
・第１の色の光が、青色の光であり、第２の色の光が、アンバー色の光である。
・第１の色の光が、アンバー色の光であり、第２の色の光が、青色の光である。
【００２４】
第１光源ＬＳ１、第２光源ＬＳ２としては、例えばＬＥＤ（Light  Emitting  Diode）が挙げられる。第１光源ＬＳ１、第２光源ＬＳ２それぞれの点灯は、例えばプロセッサ（図示せず）により制御される。なお、第１光源ＬＳ１、第２光源ＬＳ２は、ＬＥＤに限られず、対応する色の光を発することが可能な任意の光源であってもよい。
【００２５】
以下では、“第１光源ＬＳ１が青色ＬＥＤであり、第２光源ＬＳ２が赤色ＬＥＤである場合”、すなわち、“第１の色の光が青色の光であり、第２の色の光が赤色の光である場合”を例に挙げる。なお、第１光源ＬＳ１と第２光源ＬＳ２との例、および第１の色の光と第２の色の光との例が、上記に示す例に限られないことは、言うまでもない。
【００２６】
第１偏光部材１０２は、第１光源ＬＳ１および第２光源ＬＳ２それぞれが発する光のうち、第１の偏光を透過させ、後述する第２の偏光を透過させない。第１偏光部材１０２には、後述する例に示すように、第１光源ＬＳ１が発する光、または、第２光源ＬＳ２が発する光が、入射される。なお、第１偏光部材１０２には、第１光源ＬＳ１が発する光、および第２光源ＬＳ２が発する光が同時に入射されてもよい。
【００２７】
第１偏光部材１０２としては、例えば吸収型偏光フィルムなどの吸収型偏光部材が挙げられる。吸収型偏光部材とは、“所定の偏光軸を有する偏光を透過させ、他の偏光軸を有する偏光を吸収する偏光部材”である。吸収型偏光部材の一例である吸収型偏光フィルムは、例えば“ヨウ素化合物を内部に浸透させたＰＶＡ（polyvinyl  alcohol）フィルムを一方向に延伸させて、架橋処理を施すこと”により製造される。第１偏光部材１０２が吸収型偏光部材である場合、第１偏光部材１０２は、第１の偏光軸を有する第１の偏光を透過させ、第１の偏光とは異なる偏光軸を有する偏光を吸収する。
【００２８】
なお、第１偏光部材１０２は、吸収型偏光部材に限られない。例えば、第１偏光部材１０２は、反射型偏光部材であってもよい。反射型偏光部材とは、“所定の偏光軸を有する偏光を透過させ、他の偏光軸を有する偏光を反射する偏光部材”である。反射型偏光部材の一例である反射型偏光フィルムは、例えば“グリッド構造を有するフィルム上に、Ａｌ、Ａｇ、Ｃｒなどの金属を蒸着すること”によって、製造される。上記フィルムは、例えば、ＴＡＣ（Triacetylcellulose）やＣＯＰ（Cyclo-Olefin  Polymer）などで形成される。
【００２９】
［１−２］第２光源部
第２光源部は、第３光源ＬＳ３、第４光源ＬＳ４、および第２偏光部材１０４を有し、第１の偏光と直交する偏光軸を有する第２の偏光を出力する。
【００３０】
ここで、本発明の実施形態に係る第１の偏光軸と第２の偏光軸とが直交するとは、２つの偏光軸がなす角度が９０［°］である場合と、２つの偏光軸がなす角度が９０＋Ｅ［°］（Ｅは、例えば“設計段階などおいて設定される、許容される誤差に相当する実数”。）である場合とを含む。すなわち、第１の偏光軸と第２の偏光軸との直交には、厳密な直交と略直交とを含む。以下では、第１の偏光軸が０［°］（基準となる角度。以下、同様とする。）であり、第２の偏光軸が９０［°］である場合、すなわち、第１の偏光軸と第２の偏光軸とが厳密に直交する場合を例に挙げる。なお、第１の偏光軸と第２の偏光軸とが厳密に直交する場合、第２の偏光軸が０［°］であり、第１の偏光軸が９０［°］であってもよい。
【００３１】
第３光源ＬＳ３は、第１光源ＬＳ１と同様に、第１の色の光を発する光源である。第４光源ＬＳ４は、第２光源ＬＳ２と同様に、第２の色の光を発する光源である。
【００３２】
第３光源ＬＳ３、第４光源ＬＳ４としては、例えばＬＥＤが挙げられる。第３光源ＬＳ３、第４光源ＬＳ４それぞれの点灯は、例えばプロセッサ（図示せず）により制御される。なお、第３光源ＬＳ３、第４光源ＬＳ４は、ＬＥＤに限られず、対応する色の光を発することが可能な任意の光源であってもよい。以下では、“第３光源ＬＳ３が青色ＬＥＤであり、第４光源ＬＳ４が赤色ＬＥＤである場合”、すなわち、“第１の色の光が青色の光であり、第２の色の光が赤色の光である場合”を例に挙げる。
【００３３】
第２偏光部材１０４は、第３光源ＬＳ３および第４光源ＬＳ４それぞれが発する光のうち、第２の偏光を透過させ、第１の偏光を透過させない。第２偏光部材１０４には、後述する例に示すように、第３光源ＬＳ３が発する光、または、第４光源ＬＳ４が発する光が、入射される。なお、第２偏光部材１０４には、第３光源ＬＳ３が発する光、および第４光源ＬＳ４が発する光が同時に入射されてもよい。
【００３４】
第２偏光部材１０４としては、例えば第１偏光部材１０２と同様に、吸収型偏光部材または反射型偏光部材が、挙げられる。なお、第２偏光部材１０４と第１偏光部材１０２とは、同一の型の偏光部材であってもよいし、異なる型の偏光部材であってもよい。
【００３５】
図２は、本発明の実施形態に係る表示装置１００が備える第１光源部および第２光源部の構成の一例を示す説明図である。図２は、表示装置１００が備える第１光源部および第２光源部が、下記のような構成である例を示している。なお、表示装置１００が備える第１光源部および第２光源部の構成の例が、図２に示す例に限られないことは、言うまでもない。
・第１光源ＬＳ１と第３光源ＬＳ３とが、青色の光を発する光源である。
・第２光源ＬＳ２と第４光源ＬＳ４とが、赤色の光を発する光源である。
・第１偏光部材１０２が偏光軸０［°］（第１の偏光軸の一例）の偏光を透過させ、第２偏光部材１０４が偏光軸９０［°］（第２の偏光軸の一例）の偏光を透過させる。
【００３６】
［１−３］表示部１０６
表示部１０６には、第１光源部から出力される第１の偏光と、第２光源部から出力される第２の偏光との一方または双方が入射する。また、表示部１０６には３つのマークが施され、表示部１０６は、入射する偏光に対応するマークを表示する。
【００３７】
図３は、本発明の実施形態に係る表示装置１００が備える表示部１０６の構成の一例を示す説明図である。表示部１０６は、第３偏光部材１１２と、第４偏光部材１１４と、カラーフィルタと１１６とを有する。
【００３８】
第３偏光部材１１２には、第１光源部から出力される第１の偏光と、第２光源部から出力される第２の偏光との一方または双方が入射する。第３偏光部材１１２には、３つのマークのうちの一部のマークが施される。第３偏光部材１１２に施されるマークの一例については、後述する。
【００３９】
第３偏光部材１１２におけるマークが施されている部分では、偏光特性が除去される。そのため、第３偏光部材１１２におけるマークが施されている部分では、入射された偏光の偏光軸によらず、入射された偏光が透過する。また、第３偏光部材１１２におけるマークが施されていない部分では、第３偏光部材１１２は、第１の偏光を透過させ、第２の偏光を透過させない。
【００４０】
第３偏光部材１１２としては、例えば第１偏光部材１０２、第２偏光部材１０４と同様に、吸収型偏光部材または反射型偏光部材が、挙げられる。なお、第３偏光部材１１２と、第１偏光部材１０２および第２偏光部材１０４それぞれとは、同一の型の偏光部材であってもよいし、異なる型の偏光部材であってもよい。
【００４１】
上記のように、第３偏光部材１１２におけるマークが施されている部分では偏光特性が除去されていればよく、マークを施すための加工方法は、特に限定されない。一例を挙げると、第３偏光部材１１２が吸収型偏光部材である場合、第３偏光部材１１２には、例えば穴抜き加工やレーザー加工によって、任意の形状のマークが施される。第３偏光部材１１２において穴抜き加工などが施された部分、すなわち、マークが施されている部分は、偏光方向によらずに光が透過する。なお、第３偏光部材１１２にマークを施すための加工方法は、特に限定されないが、裁断時のバリを抑制できる加工方法を用いることが望ましい。
【００４２】
他の例を挙げると、第３偏光部材１１２が反射型偏光部材である場合、第３偏光部材１１２には、例えば、“穴抜き加工やレーザー加工によって、グリッド構造全体を除去すること”、または“穴抜き加工やレーザー加工によって、金属が蒸着された部分を除去すること”によって、任意の形状のマークが施される。第３偏光部材１１２が反射型偏光部材である場合においても、第３偏光部材１１２においてマークが施されている部分は、偏光方向によらずに光が透過する。
【００４３】
第４偏光部材１１４には、第３偏光部材１１２を透過する光が入射する。第４偏光部材１１４には、３つのマークのうちの第３偏光部材１１２において施されていない残りのマークが施される。第４偏光部材１１４に施されるマークの一例については、後述する。
【００４４】
第４偏光部材１１４におけるマークが施されている部分では、偏光特性が除去される。そのため、第４偏光部材１１４におけるマークが施されている部分では、入射された偏光の偏光軸によらず、入射された偏光が透過する。また、第４偏光部材１１４におけるマークが施されていない部分では、第４偏光部材１１４は、第２の偏光を透過させ、第１の偏光を透過させない。
【００４５】
第４偏光部材１１４としては、例えば第１偏光部材１０２、第２偏光部材１０４、第３偏光部材１１２と同様に、吸収型偏光部材または反射型偏光部材が、挙げられる。なお、第４偏光部材１１４と、第１偏光部材１０２、第２偏光部材１０４、第３偏光部材１１２それぞれとは、同一の型の偏光部材であってもよいし、異なる型の偏光部材であってもよい。
【００４６】
上記のように、第４偏光部材１１４におけるマークが施されている部分では偏光特性が除去されていればよく、マークを施すための加工方法は、特に限定されない。一例を挙げると、第４偏光部材１１４が吸収型偏光部材である場合、第４偏光部材１１４には、吸収型偏光部材である第３偏光部材１１２と同様の加工方法によって、任意の形状のマークが施される。他の例を挙げると、第４偏光部材１１４が反射型偏光部材である場合、第４偏光部材１１４には、反射型偏光部材である第３偏光部材１１２と同様の加工方法によって、任意の形状のマークが施される。
【００４７】
カラーフィルタ１１６には、第４偏光部材１１４を透過する光が入射し、カラーフィルタ１１６は、入射する光に応じたマークに対応する光を出力する。カラーフィルタ１１６としては、例えば“表示部１０６に施される３つのマークそれぞれを表示することが可能なように配置される、第１の色に対応するカラーフィルムおよび第２の色に対応するカラーフィルム”が、挙げられる。カラーフィルタ１１６の一例については、後述する。
【００４８】
図４は、本発明の実施形態に係る表示装置１００が備える表示部１０６を構成する、第３偏光部材１１２、第４偏光部材１１４、およびカラーフィルタ１１６の一例を示す説明図である。図４のＡは、カラーフィルタ１１６の一例、図４のＢは、第４偏光部材１１４の一例、そして図４のＣは、第３偏光部材１１２の一例をそれぞれ示している。図４は、３つのマークが“○”、“△”、“×”である例を示している。
【００４９】
図４のＣに示すように、第３偏光部材１１２には、マーク“×”が施される。上述したように、第３偏光部材１１２においてマークが施されている部分では、偏光方向によらずに光が透過する。また、第３偏光部材１１２においてマークが施されていない他の部分では、第１の偏光のみが透過する。
【００５０】
図４のＢに示すように、第４偏光部材１１４には、マーク“○”、“△”が施される。なお、３つのマークが“○”、“△”、“×”である場合、“△”と“×”とが重なる部分については、第４偏光部材１１４に対してマークが施されない。上述したように、第４偏光部材１１４においてマークが施されている部分では、偏光方向によらずに光が透過する。また、第４偏光部材１１４においてマークが施されていない他の部分では、第２の偏光のみが透過する。
【００５１】
図４のＡに示すように、カラーフィルタ１１６は、“青色（第１の色の一例）に対応するカラーフィルムで構成される部分”、“赤色（第２の色の一例）に対応するカラーフィルムで構成される部分”、および“カラーフィルムが設けられない部分”で構成される。
【００５２】
表示部１０６が例えば図４に示す構成を有することによって、表示装置１００では、後述するように３つのマーク“○”、“△”、“×”の表示を切り替えることができる。なお、表示部１０６に施されるマークは、図４に示す例に限られず、また、表示部１０６は、施されるマークに応じた構成をとることは、言うまでもない。
【００５３】
［１−４］遮光部材１０８、光減衰部材１１０
遮光部材１０８は、例えば外光が表示部１０６に入射されないように遮光する役目を果たす。遮光部材１０８としては、例えば遮光樹脂が挙げられる。なお、表示装置１００が、表示装置１００の筐体等によって外光が表示部１０６に入射されない構成である場合、表示装置１００は、遮光部材１０８を備えていなくてもよい。
【００５４】
光減衰部材１１０は、表示部１０６から出力される光を減衰させる。光減衰部材１１０により光を減衰させることによって、例えば輝度ムラが視認される可能性をより低減させることが可能となる。光減衰部材１１０としては、例えば灰色系や黒色系の可視光カットフィルタで形成されるスモーク材が、挙げられる。
【００５５】
表示装置１００は、例えば図１に示す構成を有することによって、後述するように施されている３つのマークの表示を切り替えることができる。なお、本発明の実施形態に係る表示装置の構成は、図１に示す例に限られない。例えば、本発明の実施形態に係る表示装置は、光減衰部材１１０を備えていなくてもよい。光減衰部材１１０を備えていない場合であっても、本発明の実施形態に係る表示装置では、後述するように、３つのマークの表示を切り替えることができる。
【００５６】
［２］本発明の実施形態に係る表示の切り替えの一例
次に、図２に示す第１光源部、図２に示す第２光源部、および図３に示す構成を有する表示部１０６を備える表示装置１００を例に挙げて、本発明の実施形態に係る表示の切り替えの一例を示す。つまり、以下では、表示装置１００の表示部１０６に３つのマーク“○”、“△”、“×”が施され、３つのマークの表示が切り替えられる例を、説明する。また、以下に示す例では、第１の色の光が青色の光であり、第２の色の光が赤色の光である。
【００５７】
（１）マーク“○”を表示する場合（３つのマークのうちの第１のマークを表示する場合の一例）
マーク“○”を表示する場合、表示装置１００では、青色の光を発する第１光源ＬＳ１が、点灯する。つまり、マーク“○”を表示する場合、第１光源部において、青色の光を発する光源が点灯する。
【００５８】
第１光源ＬＳ１が発した青色の光は、第１偏光部材１０２に入射される。青色の光が入射された第１偏光部材１０２は、青色の第１の偏光を透過させ、他の偏光軸を有する偏光を透過させない。
【００５９】
第１偏光部材１０２を透過した青色の第１の偏光は、図４のＣに示す第３偏光部材１１２に入射される。ここで、第３偏光部材１１２におけるマークが施されていない部分は、第１の偏光のみを透過させる偏光部材であり、第３偏光部材１１２におけるマークが施されている部分は、偏光方向によらずに光が透過する。よって、第３偏光部材１１２に入射された青色の第１の偏光は、第３偏光部材１１２全体を透過する。
【００６０】
第３偏光部材１１２を透過した青色の第１の偏光は、図４のＢに示す第４偏光部材１１４に入射される。ここで、第４偏光部材１１４におけるマークが施されていない部分は、第２の偏光のみを透過させる偏光部材であり、第４偏光部材１１４におけるマークが施されている部分は、偏光方向によらずに光が透過する。よって、第４偏光部材１１４に入射された青色の第１の偏光は、第４偏光部材１１４におけるマークが施されている部分を透過する。
【００６１】
第４偏光部材１１４を透過した青色の第１の偏光は、図４のＡに示すカラーフィルタ１１６に入射される。カラーフィルタ１１６に入射された青色の第１の偏光は、青色のカラーフィルムで構成される部分およびカラーフィルムが設けられない部分を透過し、赤色のカラーフィルムで構成される部分は透過しない。
【００６２】
よって、カラーフィルタ１１６からは、マーク“○”に対応する光が出力され、表示装置１００の表示面（図１に示す上方向）を見る者は、マーク“○”を認識することができる。つまり、表示装置１００の表示面には、マーク“○”が表示される。
【００６３】
（２）マーク“△”を表示する場合（３つのマークのうちの第２のマークを表示する場合の一例）
マーク“△”を表示する場合、表示装置１００では、赤色の光を発する第２光源ＬＳ２および第４光源ＬＳ４が、点灯する。つまり、マーク“△”を表示する場合、第１光源部と第２光源部との双方において、赤色の光を発する光源が点灯する。第２光源ＬＳ２と第４光源ＬＳ４とは、例えば同時に点灯する。なお、第２光源ＬＳ２と第４光源ＬＳ４とは、交互に点灯してもよい。
【００６４】
第２光源ＬＳ２が発した赤色の光は、第１偏光部材１０２に入射される。赤色の光が入射された第１偏光部材１０２は、赤色の第１の偏光を透過させ、他の偏光軸を有する偏光を透過させない。
【００６５】
第４光源ＬＳ４が発した赤色の光は、第２偏光部材１０４に入射される。赤色の光が入射された第２偏光部材１０４は、赤色の第２の偏光を透過させ、他の偏光軸を有する偏光を透過させない。
【００６６】
第１偏光部材１０２を透過した赤色の第１の偏光と、第２偏光部材１０４を透過した赤色の第２の偏光とは、図４のＣに示す第３偏光部材１１２に入射される。ここで、第３偏光部材１１２におけるマークが施されていない部分は、第１の偏光のみを透過させる偏光部材であり、第３偏光部材１１２におけるマークが施されている部分は、偏光方向によらずに光が透過する。よって、第３偏光部材１１２に入射された赤色の第１の偏光は、第３偏光部材１１２全体で透過する。また、第３偏光部材１１２に入射された赤色の第２の偏光は、第３偏光部材１１２におけるマークが施されている部分のみ透過する。
【００６７】
第３偏光部材１１２を透過した赤色の第１の偏光と赤色の第２の偏光とは、図４のＢに示す第４偏光部材１１４に入射される。ここで、第４偏光部材１１４におけるマークが施されていない部分は、第２の偏光のみを透過させる偏光部材であり、第４偏光部材１１４におけるマークが施されている部分は、偏光方向によらずに光が透過する。よって、第４偏光部材１１４に入射された赤色の第１の偏光は、第４偏光部材１１４におけるマークが施されている部分を透過する。また、第４偏光部材１１４に入射された赤色の第２の偏光は、全て第４偏光部材１１４を透過する。
【００６８】
第４偏光部材１１４を透過した赤色の第１の偏光と赤色の第２の偏光とは、図４のＡに示すカラーフィルタ１１６に入射される。カラーフィルタ１１６に入射された赤色の第１の偏光は、赤色のカラーフィルムで構成される部分およびカラーフィルムが設けられない部分を透過し、青色のカラーフィルムで構成される部分は透過しない。同様に、カラーフィルタ１１６に入射された赤色の第２の偏光は、赤色のカラーフィルムで構成される部分およびカラーフィルムが設けられない部分を透過し、青色のカラーフィルムで構成される部分は透過しない。
【００６９】
図５は、本発明の実施形態に係る表示装置１００における表示の切り替えの一例を説明するための説明図であり、マーク“△”を表示する場合においてカラーフィルタ１１６から出力される光を概念的に示している。図５のＡは、カラーフィルタ１１６から出力される赤色の第１の偏光を示しており、図５のＢは、カラーフィルタ１１６から出力される赤色の第２の偏光を示している。
【００７０】
図５のＡに示す赤色の第１の偏光と、図５のＢに示す赤色の第２の偏光とを重ね合わせると、マーク“△”に対応する光が得られる。よって、カラーフィルタ１１６からは、マーク“△”に対応する光が出力され、表示装置１００の表示面（図１に示す上方向）を見る者は、マーク“△”を認識することができる。つまり、表示装置１００の表示面には、マーク“△”が表示される。
【００７１】
（３）マーク“×”を表示する場合（３つのマークのうちの第３のマークを表示する場合の一例）
マーク“×”を表示する場合、表示装置１００では、青色の光を発する第３光源ＬＳ３が、点灯する。つまり、マーク“×”を表示する場合、第２光源部において、青色の光を発する光源が点灯する。
【００７２】
第３光源ＬＳ３が発した青色の光は、第２偏光部材１０４に入射される。青色の光が入射された第２偏光部材１０４は、青色の第２の偏光を透過させ、他の偏光軸を有する偏光を透過させない。
【００７３】
第２偏光部材１０４を透過した青色の第２の偏光は、図４のＣに示す第３偏光部材１１２に入射される。ここで、第３偏光部材１１２におけるマークが施されていない部分は、第１の偏光のみを透過させる偏光部材であり、第３偏光部材１１２におけるマークが施されている部分は、偏光方向によらずに光が透過する。よって、第３偏光部材１１２に入射された青色の第２の偏光は、第３偏光部材１１２におけるマークが施されている部分を透過する。
【００７４】
第３偏光部材１１２を透過した青色の第２の偏光は、図４のＢに示す第４偏光部材１１４に入射される。ここで、第４偏光部材１１４におけるマークが施されていない部分は、第２の偏光のみを透過させる偏光部材であり、第４偏光部材１１４におけるマークが施されている部分は、偏光方向によらずに光が透過する。よって、第４偏光部材１１４に入射された青色の第２の偏光は、全て第４偏光部材１１４を透過する。
【００７５】
第４偏光部材１１４を透過した青色の第２の偏光は、図４のＡに示すカラーフィルタ１１６に入射される。カラーフィルタ１１６に入射された青色の第２の偏光は、青色のカラーフィルムで構成される部分およびカラーフィルムが設けられない部分を透過し、赤色のカラーフィルムで構成される部分は透過しない。
【００７６】
よって、カラーフィルタ１１６からは、マーク“×”に対応する光が出力され、表示装置１００の表示面（図１に示す上方向）を見る者は、マーク“×”を認識することができる。つまり、表示装置１００の表示面には、マーク“×”が表示される。
【００７７】
表示装置１００は、例えば上記（１）、（２）、（３）に示すように、３つのマーク“○”、“△”、“×”を切り替えて表示することができる。なお、本発明の実施形態に係る表示装置における表示の切り替えの例が、上述した例に限られないことは、言うまでもない。
【００７８】
［３］本発明の実施形態に係る表示装置が用いられることにより奏される効果の一例
本発明の実施形態に係る表示装置が用いられることによって、例えば下記に示す効果が奏される。なお、本発明の実施形態に係る表示装置が用いられることにより奏される効果が、下記に示す効果に限られないことは、言うまでもない。
・偏光部材を利用する偏光方式による表示切替、および光の波長差を利用する表示切替によって、既存技術では実現することができなかった３つの表示の切り替えを、実現することができる。
【００７９】
［４］本発明の実施形態に係る表示装置の他の適用例
上記では、本発明の実施形態に係る表示装置の適用例として表示装置を説明したが、表示装置の適用例は、マークの表示が想定されうる様々な機器であれば、どのようなものであってもよい。
【００８０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００８１】
例えば、表示部１０６の構成は図３に示す構成に限られない。表示部１０６は、光源側（第１偏光部材１０２および第２偏光部材側）から順に、下記のようにカラーフィルタと偏光部材とが配置される構成を有していてもよい。
・カラーフィルタ１１６、第３偏光部材１１２、および第４偏光部材１１４
・カラーフィルタ１１６、第４偏光部材１１４、および第３偏光部材１１２
【００８２】
また、第１光源ＬＳ１、第２光源ＬＳ２、第３光源ＬＳ３、および第４光源ＬＳ４の一部または全部の点灯は、プロセッサ（図示せず）または表示装置１００の外部装置により制御されることに限られず、表示装置１００に設けられるスイッチによって制御されてもよい。表示装置１００に設けられるスイッチとしては、例えば、“少なくともマークの数に対応する３段階に可動し、可動するごとに点灯消灯する光源を切り替えることが可能な、多段スイッチ”が挙げられる。なお、多段スイッチの段数は、３段階に限られず、多段スイッチは、さらに、全ての光源を消灯させることが可能であってもよい。
【００８３】
上述した構成は、本発明の実施形態の一例を示すものであり、当然に、本発明の技術的範囲に属するものである。
【符号の説明】
【００８４】
１００  表示装置、１０２  第１偏光部材、１０４  第２偏光部材、１０６  表示部、１０８  遮光部材、１１０  光減衰部材、１１２  第３偏光部材、１１４  第４偏光部材、１１６  カラーフィルタ、ＬＳ１  第１光源、ＬＳ２  第２光源、ＬＳ３  第３光源、ＬＳ４  第４光源
【図１】
2020064198.tif 000003
【図２】
2020064198.tif 000004
【図３】
2020064198.tif 000005
【図４】
2020064198.tif 000006
【図５】
2020064198.tif 000007